(57)【要約】      （修正有）【課題】隣接する太陽電池モジュールの端部を一括して固定する固定金具であって、一方については、架台等に載置された状態から固定すると共に、他方については、挿し込むだけで固定することができる、太陽電池モジュールの設置作業を容易に且つ確実に行えるようにした太陽電池モジュール固定金具を提供する。【解決手段】固定金具２は、架台５上に設置された太陽電池モジュール１ａの端部を、上面側から押さえ付けて固定する鉤片２１と、太陽電池モジュール１ｂの上面側に水平に延び出し、太陽電池モジュール１ｂの端部を上面側から押さえ付けて固定する鉤片２３と、太陽電池モジュール１ｂの下面側に水平に延び出し、太陽電池モジュール１ｂの端部を、下面側から鉤片２３との間に挟み込む挟着片２４と、架台５に固定される固定片とを有し、鉤片２３と挟着片２４の間に、太陽電池モジュール１ｂが挿し込まれる挿込部が形成される。【選択図】図９
0003186674.tif 000002
【実用新案登録請求の範囲】
【請求項１】
敷設面上に複数の太陽電池モジュールを連設して設置するための固定金具であって、
上記敷設面上に上記太陽電池モジュールを支持する架台上に設置された第一の太陽電池モジュールの端部を、上面側から押さえ付けて固定する第一の鉤片と、
上記第一の太陽電池モジュールに隣接して設置される第二の太陽電池モジュールの上面側に水平に延び出し、当該第二の太陽電池モジュールの端部を、上面側から押さえ付けて固定する第二の鉤片と、
上記第二の太陽電池モジュールの下面側に水平に延び出し、上記第二の太陽電池モジュールの端部を、下面側から上記第二の鉤片との間に挟み込む挟着片と、
上記架台に固定される固定部と、を有し、
上記第二の鉤片と上記挟着片の間に、上記第二の太陽電池モジュールが挿し込まれる挿込部が形成される、
ことを特徴とする太陽電池モジュール用固定金具。
【請求項２】
上記第一の鉤片は、上記第一の太陽電池モジュールの端部を、上記架台とで挟持することによって固定する、
請求項１記載の太陽電池モジュール用固定金具。
【請求項３】
上記挟着片の先端部には、上方の上記第二の太陽電池モジュール側へ突出すると共に、先端が尖形状に形成され、上記第二の太陽電池モジュールの下面に咬止する咬止爪が設けられている、
請求項１又は２記載の太陽電池モジュール用固定金具。
【請求項４】
上記挟着片は、上記第二の鉤片よりも長く上記第二の太陽電池モジュール側へ延び出すと共に、先端部が上記第二の太陽電池モジュール側へ屈曲している、
請求項１乃至３いずれかの項に記載の太陽電池モジュール用固定金具。
【請求項５】
上記第二の鉤片の先端部と上記挟着片の先端部の間の長さは、上記第二の太陽電池モジュールの厚さよりも僅かに長く、
上記第二の鉤片の先端部と上記挟着片の先端部間の鉛直方向の長さは、上記第二の太陽電池モジュールの厚さよりも僅かに短い、
請求項４記載の太陽電池モジュール用固定金具。
【考案の詳細な説明】
【技術分野】
【０００１】
本考案は、敷設面上に設置された架台上に複数の太陽電池モジュールを固定する固定金具に関する。
【背景技術】
【０００２】
従来、太陽電池モジュールは、屋根や屋上等の高所に設置されることが多く、また太陽電池モジュール自体が人手で扱うには重量があるため、設置作業はときに危険を伴うことがあった。また、太陽電池モジュールは、複数枚を連設させて、所謂太陽電池アレイを形成させることが一般的なため、設置作業には安全性と確実性、さらにはこれらのことに影響する作業自体の容易性が重要であった。
【０００３】
この点、特許文献１には、太陽電池モジュールを屋根に設置する構造であって、対向する太陽電池モジュールの横側フレーム同士の保持部を覆うようにキャップ部材を配置すると共に、当該対向する太陽電池モジュールの横側フレーム同士の被係止部を跨ぐように断面略コ字形状の支持金具を配置して、ボルトで固定する構造が提案されている。
また、特許文献２には、太陽電池モジュールを架台上に支持する支持基体を用いた太陽電池モジュールの設置構造であって、太陽電池モジュールの両端部を、支持基体に設けられている受け部に受け入れて支持する構造が提案されている。
【先行技術文献】
【特許文献】
【０００４】
【特許文献１】特開２００９−２６３８７４号公報
【特許文献２】特開２０１２−１０４７５６号公報
【考案の概要】
【考案が解決しようとする課題】
【０００５】
しかしながら、上記特許文献１に記載の構造のように、隣接する一対の太陽電池モジュールを一括して固定する場合において、当該一対の太陽電池モジュールを架台上に載置した上、上面側から金具を取り付けてボルトで固定する方法では、一旦、当該一対の太陽電池モジュールを架台上に載置してしまっているため、ボルトを締める作業が行いにくく、不便であった。
【０００６】
一方、上記特許文献２記載の構造を応用して、隣接する太陽電池モジュールの端部を、一の支持基体の両側に設けた受け部に挿し込んで固定させる場合、一方の太陽電池モジュールの端部を支持基体に挿し込んだ後、他方の太陽電池モジュールの端部を支持基体に挿し込む際は、当該他方の太陽電池モジュールを浮かせた状態にしなければ挿し込むことができず、重量のある太陽電池モジュールを屋根等の上で取り扱う作業の性質からして危険であるし、作業も大変である。
【０００７】
そこで、本考案は、隣接する太陽電池モジュールの端部を一括して固定する固定金具であって、一方の太陽電池モジュールについては、架台等に載置された状態から固定すると共に、他方の太陽電池モジュールについては、挿し込むだけで固定することができる固定金具により、太陽電池モジュールの設置作業を容易に且つ確実に行えるようにすることを目的とする。
【課題を解決するための手段】
【０００８】
上記目的を達成するため、本考案に係る太陽電池モジュール用固定金具は、敷設面上に複数の太陽電池モジュールを連設して設置するための固定金具であって、上記敷設面上に上記太陽電池モジュールを支持する架台上に設置された第一の太陽電池モジュールの端部を、上面側から押さえ付けて固定する第一の鉤片と、上記第一の太陽電池モジュールに隣接して設置される第二の太陽電池モジュールの上面側に水平に延び出し、当該第二の太陽電池モジュールの端部を、上面側から押さえ付けて固定する第二の鉤片と、上記第二の太陽電池モジュールの下面側に水平に延び出し、上記第二の太陽電池モジュールの端部を、下面側から上記第二の鉤片との間に挟み込む挟着片と、上記架台に固定される固定部と、を有し、上記第二の鉤片と上記挟着片の間に、上記第二の太陽電池モジュールが挿し込まれる挿込部が形成されることを特徴とする。
【０００９】
上記第一の鉤片は、上記第一の太陽電池モジュールの端部を、上記架台とで挟持することによって固定するものとしてもよい。
【００１０】
また、上記挟着片の先端部には、上方の上記第二の太陽電池モジュール側へ突出すると共に、先端が尖形状に形成され、上記第二の太陽電池モジュールの下面に咬止する咬止爪が設けられているものとしてもよい。
【００１１】
上記挟着片は、上記第二の鉤片よりも長く上記第二の太陽電池モジュール側へ延び出すと共に、先端部が上記第二の太陽電池モジュール側へ屈曲しているものとしてもよい。
【００１２】
また、上記第二の鉤片の先端部と上記挟着片の先端部の間の長さは、上記第二の太陽電池モジュールの厚さよりも僅かに長く、上記第二の鉤片の先端部と上記挟着片の先端部間の鉛直方向の長さは、上記第二の太陽電池モジュールの厚さよりも僅かに短いものとしてもよい。
【考案の効果】
【００１３】
本考案によれば、複数の太陽電池モジュールを連設して設置する際、隣接する太陽電池モジュールのうちの一方の太陽電池モジュールについては、載置してから固定金具を取り付ければよいため、作業が楽であるし、確実に固定することができる。その一方で、他方の太陽電池モジュールについては、固定金具に挿し込むだけで固定することができ、作業が容易である。
【図面の簡単な説明】
【００１４】
【図１】本考案の実施形態に係る固定金具により、太陽電池モジュールを敷設した状態を示した側面図である。
【図２】本実施形態に係る固定金具を示した図であって、（ａ）斜視図、（ｂ）側面図である。
【図３】太陽電池モジュールを敷設する際に、本実施形態に係る固定金具と共に用いられる他の固定金具を示した図であって、（ａ）斜視図、（ｂ）側面図である。
【図４】太陽電池モジュールを敷設する際に、本実施形態に係る固定金具と共に用いられる他の固定金具を示した図であって、（ａ）斜視図、（ｂ）側面図である。
【図５】太陽電池モジュールを敷設面上に支持する架台を示した斜視図である。
【図６】太陽電池モジュールを敷設する工程のうち、架台に固定金具を設置する工程を示した斜視図である。
【図７】太陽電池モジュールを敷設する工程のうち、固定金具の挿込部に太陽電池モジュールを挿し込む工程を示した側面図である。
【図８】太陽電池モジュールを敷設する工程のうち、架台に固定金具を設置する工程を示した斜視図である。
【図９】太陽電池モジュールを敷設する工程のうち、固定金具の挿込部に太陽電池モジュールを挿し込む工程を示した側面図である。
【図１０】太陽電池モジュールを敷設する工程のうち、架台に固定金具を設置する工程を示した斜視図である。
【考案を実施するための形態】
【００１５】
以下、本考案の実施形態に係る固定金具について、図を参照して説明する。
図１は、本実施形態に係る固定金具２を用いて、複数の太陽電池モジュール１ａ、１ｂ（以下において、個々の太陽電池モジュール１ａ、１ｂを区別しない場合には、「太陽電池モジュール１」と称することがある）屋根等のを敷設面７上に敷設した状態を示している。
敷設された太陽電池モジュール１ａ、１ｂは、本実施形態に係る固定金具２に加え、固定金具３、４を用いて架台５上に固定されている
【００１６】
ここで、図１に示されるように敷設された太陽電池モジュール１ａ、１ｂは、後述のとおり、固定金具２、３、４を用いて、太陽電池モジュール１ａ、１ｂの順に設置される。
【００１７】
なお、本例では、太陽電池モジュール１ａ、１ｂの２枚を設置する場合を例にとって説明しているが、本実施形態に係る固定金具２は、太陽電池モジュール１を複数、設置する場合に用いることができ、特に太陽電池モジュール１の数によって使用が限定されることはない。例えば、太陽電池モジュール１ａ、１ｂの間に太陽電池モジュール１ｃ（図示省略）を配置して３枚の太陽電池モジュール１ａ、１ｂ、１ｃを設置する場合、太陽電池モジュール１ａ、１ｃ間、及び太陽電池モジュール１ｂ、１ｃ間に、上記太陽電池モジュール１ａ、１ｂ間と同様に固定金具２を取り付ければよい。
【００１８】
また、本実施形態において敷設される太陽電池モジュール１は、太陽電池セルにカバーガラスやバックシートなどの保護部材が適宜、取り付けられると共に、矩形状の太陽電池セルの周縁形状に沿って枠状のフレームが取り付けられたものであるが、特に適用対象となる太陽電池モジュール１の種類が限定されることはなく、各種の太陽電池モジュールに適用することができる。
【００１９】
固定金具２は、隣接する太陽電池モジュール１ａ、１ｂ間において、架台５に固定して取り付けられると同時に、当該隣接する太陽電池モジュール１ａ、１ｂを架台５上に固定する金具である。
この固定金具２は、図２に示されるように、アルミ等からなる平板状の金属板をプレス加工等することによって作製されており、鉤片２１、固定片２２、鉤片２３、及び挟着片２４によって構成される。
【００２０】
鉤片２１は、隣接して配置される太陽電池モジュール１ａ、１ｂのうち、先に設置される太陽電池モジュール１ａ（架台５上に載置された太陽電池モジュール１ａ）を上面側から押さえ込んで架台５上に固定する。
この鉤片２１は、略Ｌ字状の鉤型形状からなり、固定片２２の端部から鉛直方向上方に立設した立設部２１１と、当該立設部２１１の上端部から直角に折曲し、太陽電池モジュール１ａの上面側に水平に延び出した延出部２１２とからなる。
【００２１】
延出部２１２は、太陽電池モジュール１ａに固定金具２が取り付けられた際、太陽電池モジュール１ａの端部の表面に当接して当該太陽電池モジュール１ａを上面側から押さえこみ、これにより太陽電池モジュール１ａを架台５の支持片５２（図５参照）との間に挟持する。
また、延出部２１２の両側端部には、下方の太陽電池モジュール１ａ側へ突出すると共に、先端が尖形状に形成された咬止爪２１２ａが設けられている。
この咬止爪２１２ａは、太陽電池モジュール１ａに固定金具２が取り付けられた際、太陽電池モジュール１ａの端部の表面に咬止し、太陽電池モジュール１ａの位置ずれを規制する。
【００２２】
固定片２２は、架台５上に載置される、水平な平板状の部分であって、この固定片２２を中心として一方の向きに鉤爪片２１が設けられ、当該鉤爪片２１とは反対の向きに鉤爪片２３及び挟着片２４が設けられている。
この固定片２２には、ボルトを挿通させるためのボルト孔２２ａが中央に穿設されている。このボルト孔２２ａと、架台５に穿設されているボルト孔５３ａ（図５参照）にボルトが挿通されることによって、固定金具２が架台５に取り付けられる。
【００２３】
鉤片２３は、隣接して配置される太陽電池モジュール１ａ、１ｂのうち、太陽電池モジュール１ａの設置後に設置される太陽電池モジュール１ｂの端部を上面側から押さえ込んで架台５上に固定する。
この鉤片２３は、略Ｌ字状の鉤形形状からなり、固定片２２の端部から鉛直方向上方に立設した立設部２３１と、当該立設部２３１の上端部から直角に折曲し、太陽電池モジュール１ｂの上面側に水平に延び出した延出部２３２とからなる。
【００２４】
延出部２３２は、太陽電池モジュール１ｂに固定金具２が取り付けられた際、太陽電池モジュール１ｂの端部の表面に当接して当該太陽電池モジュール１ｂを上面側から押さえこみ、これにより太陽電池モジュール１ｂを挟着片２４との間に挟持する。
【００２５】
挟着片２４は、隣接して配置される太陽電池モジュール１ａ、１ｂのうち、太陽電池モジュール１ａの設置後に設置される太陽電池モジュール１ｂの端部を、下面側から鉤片２３との間に挟持する。
この挟着片２４は、略Ｌ字状の鉤形形状からなり、固定片２２の端部から鉛直方向下方に垂下した垂設部２４１と、当該垂設部２４１の下端部から直角に折曲し、太陽電池モジュール１ｂの下面側に水平に延び出した延出部２４２と、当該延出部２４２の端部から、上方の太陽電池モジュール１ｂ側へ屈曲した屈曲部２４３とからなる。
また、この挟着片２３は、固定片２２の両側端部に夫々一片ずつ設けられている。
【００２６】
屈曲部２４３の端部には、上方の太陽電池モジュール１ｂ側へ突出すると共に、先端が尖形状に形成された咬止爪２４３ａが設けられている。
この咬止爪２４３ａは、太陽電池モジュール１ｂに固定金具２が取り付けられた際、太陽電池モジュール１ｂの端部の下面に咬止し、太陽電池モジュール１ｂの位置ずれを規制する。
【００２７】
以上の構成からなる固定金具２では、鉤片２３と挟着片２４の間に、太陽電池モジュール１ｂが挿し込まれる挿込部２ａが形成される。
図２（ｂ）に示されるように、この挿込部２ａにおいて、狭着片２４の延出部２４２の先端は、鉤片２３の延出部２３２の先端部よりも長く、太陽電池モジュール１ｂ側へ延び出しており、鉤片２３の先端部と挟着片２４の先端部の間の長さＬ１は、太陽電池モジュール１の厚みよりも僅かに長く設けられている。一方、鉤片２３の先端部と挟着片２４の先端部の間の鉛直方向の長さＬ２は、太陽電池モジュール１の厚みよりも僅かに短く設けられている。
【００２８】
固定金具２の挿込部２ａがこのような寸法に設けられていることから、挿込部２ａに太陽電池モジュール１ｂを挿し込むときは、一旦、太陽電池モジュール１ｂを、挿込部２ａに挿し込む側を下にした斜めの状態で挿し込み、それから斜めになっている太陽電池モジュール１ｂを倒して水平にする。これにより、挿込部２ａ内に挿し込まれた太陽電池モジュール１ｂは、鉤片２３と挟着片２４によって挟持される。
なお、この固定金具２の挿込部２ａに太陽電池モジュール１ｂを挿し込む工程、及び当該工程によって太陽電池モジュール１ｂが固定される点については後に詳述する。
【００２９】
続いて、上記した本実施形態に係る固定金具２を用いて、図１に示されるように太陽電池モジュール１ａ、１ｂを敷設する工程について説明する。
なお、工程の説明に先立ち、固定金具２と合わせて用いられる固定金具３、４、及び太陽電池モジュールが固定される架台５について説明しておく。
【００３０】
固定金具３は、複数の太陽電池モジュール１ａ、１ｂのうち、最初に設置される太陽電池モジュール１ａの一端側を架台５上に固定するための金具である。
この固定金具３は、図３に示されるように、固定片３１、鉤片３２、及び挟着片３３によって構成される。
【００３１】
固定金具３の固定片３１は、架台５上に載置される、水平な平板状の載置部３１１と、当該載置部３１１の端部から折曲して下方に垂下した垂設部３１２とからなる。
垂設部３１２は、固定金具３が架台５に取り付けられた際に、架台５の立設部５４（図５参照）に当接して、固定金具３が太陽電池モジュール１ｂの方向に動くのを規制する。
また、固定片３１の載置部３１１の中央部分には、固定金具３を架台５に固定するボルトを挿通させるためのボルト孔３１ａが中央に穿設されている。
【００３２】
鉤片３２の形状は、固定金具２の鉤片２３の形状と同様で、略Ｌ字状の鉤形形状からなり、固定片３１の端部から鉛直方向上方に立設した立設部３２１と、当該立設部２３１の上端部から直角に折曲し、太陽電池モジュール１ａの上面側に水平に延び出した延出部３２２とからなる。
また、挟着片３３の形状は、固定金具２の挟着片２４の形状と同様であり、略Ｌ字状の鉤形形状からなり、固定片３１の端部から鉛直方向下方に垂下した垂設部３３１と、当該垂設部３３１の下端部から直角に折曲し、太陽電池モジュール１ａの下面側に水平に延び出した延出部３３２と、当該延出部３３２の端部から、上方の太陽電池モジュール１ａ側へ屈曲した屈曲部３３３とからなる。また同様に、
挟着片３３は、固定片３１の両側端部に夫々一片ずつ設けられ、屈曲部３３３の端部には、上方の太陽電池モジュール１ａ側へ突出すると共に、先端が尖形状に形成された咬止爪３３３ａが設けられている。
なお、鉤片３２と挟着片３３の間には、太陽電池モジュール１ａの端部が挿し込まれる挿込部３ａが形成され、その寸法は挿込部２ａの寸法と同様である。
【００３３】
固定金具４は、複数の太陽電池モジュール１ａ、１ｂのうち、最後に設置される太陽電池モジュール１ｂの端部を架台５上に固定するための金具である。
この固定金具４は、図４に示されるように、鉤片４１及び固定片４２によって構成される。
【００３４】
固定金具４の鉤片４１の形状は、固定金具２の鉤片２１の形状と同様で、略Ｌ字状の鉤型形状からなり、固定片４２の端部から鉛直方向上方に立設した立設部４１１と、当該立設部４１１の上端部から直角に折曲し、太陽電池モジュール１ｂの上面側に水平に延び出した延出部４１２とからなる。また同様に、延出部４１２の両側端部には、下方の太陽電池モジュール１ｂ側へ突出すると共に、先端が尖形状に形成された咬止爪４１２ａが設けられている。
【００３５】
また、固定片４２は、架台５上に載置される、平板状の載置部４２１と、当該載置部４２１の端部から折曲して下方に垂下した垂設部４２２とからなる。
垂設部４２２は、固定金具４が架台５に取り付けられた際に、架台５の支持片５３（図５参照）に側面から当接して、固定金具４が太陽電池モジュール１ａの方向に動くのを規制する。
また、固定片４２の載置部４２１の中央部分には、固定金具４を架台５に固定するボルトを挿通させるためのボルト孔４２ａが中央付近に穿設されている。
【００３６】
架台５は、敷設面７上に設置されると共に、太陽電池モジュール１を当該敷設面７上に支持する部材である。
この架台５は、太陽電池モジュール１をその端部において支持し、隣接して設置される太陽電池モジュール１ａ、１ｂの端部同士が向き合う境界部分にあっては、一本で二基の太陽電池モジュール１ａ、１ｂ夫々の端部を支持する。
このような架台５は、図５に示されるように、略四角柱状の部材であって、略四角柱状の基体部５１と、基体部５１の上端部に設けられた、支持片５２、５３、立設片５４からなる。
【００３７】
架台５が隣接して敷設される太陽電池モジュール１ａ、１ｂの間に設置されて、両太陽電池モジュール１ａ、１ｂを支持する場合において、支持片５２は、太陽電池モジュール１ａ側へ水平に延び出し、太陽電池モジュール１ａを下面側から支持する。
【００３８】
また、同様の場合において、支持片５３は、基体部５１の中央付近に立設する立設片５４の上端部から、支持片５２とは反対に、太陽電池モジュール１ｂ側へ水平に延び出し、固定金具２の固定片２２を下面側から支持する。
この支持片５３には、固定金具２、３、４のボルト孔２２ａ、３１ａ、４２ａに対応したボルト孔５３ａが所定の位置に穿設されており、対応するボルト孔２２ａ、３１ａ、４２ａ、５３ａにボルトを挿通させることによって、固定金具２、３、４が固定される。
また、支持片５３には、固定金具２、３が取り付けられる位置に、固定金具２の挟着片２４又は固定金具３の挟着片３３に対応して切り欠かれた切欠部５３ｂが形成されており、固定金具２、３の位置ずれを規制することができるようになっている。
【００３９】
以上の部材により太陽電池モジュール１ａ、１ｂを敷設面７上に敷設する場合、まず、敷設面７上において、太陽電池モジュール１ａ、１ｂの長さに相当する間隔ごとに架台５を設置する。なお、この架台５は、本例では取付金具６によって敷設面７上に固定しているが、別途設用意したボルトやボルト孔等を用い、既知の固定方法に従って直接固定してもよい。
【００４０】
架台５を所定の位置に設置すると、まず、図６に示されるように、固定金具３を架台５の支持片５３上に載置すると共に、固定金具３のボルト孔３１ａ及び支持片５３のボルト孔５３ａにボルト８１を挿通させ、架台５に固定金具３を取り付ける。なお、この際、固定金具３の挟着片３３が、架台５の切欠部５３ｂに嵌合し、これにより、太陽電池モジュール１ａ、１ｂの連設方向と直交する向きにおいて、架台５に対する固定金具３の位置ずれが規制される。
【００４１】
次に、図７に示されるように、固定金具３の挿込部３ａに太陽電池モジュール１ａの一端側を挿し込む。この際には、一旦、太陽電池モジュール１ａを斜めにした状態で挿込部３ａに挿し込み、それから斜めになっている太陽電池モジュール１ａを倒して水平にする。
これにより、太陽電池モジュール１ａは、鉤片３２と挟着片３３との間に挟持される。また、このとき、挟着片３３の咬止爪３３３ａが太陽電池モジュール１ａの下面に咬止し、太陽電池モジュール１ａの位置ずれが規制される。
【００４２】
このように太陽電池モジュール１ａを水平に戻して、架台５上に設置した際、太陽電池モジュール１ａの他端は、図８に示されるように、別の架台５の支持片５２上に支持される。
この状態から、固定金具２を用いて太陽電池モジュール１ａの他端を架台５上に固定する。即ち、鉤片２１によって太陽電池モジュール１ａの端部を上面側から押さえ込むと共に、固定片２２のボルト孔２２ａと架台５の支持片５３のボルト孔５３ａにボルト８２を挿通させ、固定金具２を架台５に取り付ける。
この際、鉤片２１の咬止爪２１２ａが、太陽電池モジュール１ａの端部の表面に咬止し、太陽電池モジュール１ａの位置ずれが規制される。
【００４３】
このようにして太陽電池モジュール１ａを架台５に設置すると、次に、太陽電池モジュール１ｂを架台５上に設置する。
ここではまず、図９に示されるように、太陽電池モジュール１ｂの端部のうち、挿込部２ａに挿し込む側を下にして太陽電池モジュール１ｂを斜めに傾ける。そしてそのまま、挿込部２ａに対して斜めに太陽電池モジュール１ｂを挿し込んだ後、斜めになっている太陽電池モジュール１ｂを倒して水平にする。
【００４４】
この際、図２（ｂ）を参照して説明したとおり、鉤片２３の先端部と挟着片２４の先端部間の鉛直方向の長さＬ２が、太陽電池モジュール１ｂの厚さよりも僅かに短く設けられていることから、固定金具２には、挿込部２ａが僅かに広がるように応力が作用する。その結果、挿込部２ａ内の太陽電池モジュール１ｂの端部には上下から押圧力が加わって、鉤片２３と挟着片２４の間にしっかりと挟持される。
また、咬止爪２４３ａが太陽電池モジュール１ｂの下面に咬止し、太陽電池モジュール１ｂの位置ずれが規制される。
【００４５】
このように太陽電池モジュール１ｂを水平に戻して、架台５上に設置すると、太陽電池モジュール１ｂの他端は、図１０に示されるように、さらに別の架台５の支持片５２上に支持される。
この状態から、固定金具４を用いて、太陽電池モジュール１ｂの他端を架台５上に固定する。
即ち、固定金具４の鉤片４１によって太陽電池モジュール１ｂの端部を上面側から押さえ込むと共に、固定片４２のボルト孔２２ａと架台５の支持片５３のボルト孔５３ａにボルト８３を挿通させ、固定金具４を架台５に取り付ける。この際、鉤片４１の咬止爪４１２ａが、太陽電池モジュール１ｂの端部の表面に咬止し、太陽電池モジュール１ｂの位置ずれが規制される。
これにより、固定金具４によって、太陽電池モジュール１ｂの他端が架台５に固定される。
【００４６】
以上の本実施形態に係る固定金具２によれば、隣接して設置される太陽電池モジュール１ａ、１ｂのうち、先に設置される太陽電池モジュール１ａについては、載置してから固定金具２を取り付ければよいため、作業が楽であるし、確実に固定することができる。その一方で、太陽電池モジュール１ｂについては、固定金具２の挿込部２ａに挿し込むだけで固定することができるので、作業が容易である。この結果、太陽電池モジュール１の設置作業において、安全性と確実性が担保される。
【符号の説明】
【００４７】
１          太陽電池モジュール
１ａ        太陽電池モジュール
１ｂ        太陽電池モジュール
２          固定金具
２１        鉤片
２２        固定片
２２ａ      ボルト孔
２３        鉤片
２４        挟着片
３          固定金具
３１        固定片
３１ａ      ボルト孔
３２        鉤片
３３        挟着片
４          固定金具
４１        鉤片
４２        固定片
４２ａ      ボルト孔
５          架台
５１        基体部
５２        支持片
５３        支持片
５３ａ      ボルト孔
５３ｂ      切欠部
５４        立設部
６          取付金具
７          敷設面
８１        ボルト
８２        ボルト
８３        ボルト
【図１】
0003186674.tif 000003
【図２】
0003186674.tif 000004
【図３】
0003186674.tif 000005
【図４】
0003186674.tif 000006
【図５】
0003186674.tif 000007
【図６】
0003186674.tif 000008
【図７】
0003186674.tif 000009
【図８】
0003186674.tif 000010
【図９】
0003186674.tif 000011
【図１０】
0003186674.tif 000012